(57)【特許請求の範囲】
【請求項１】
沈殿槽の内側に越流堰を有した集水槽を備え、前記沈殿槽の被処理水が越流堰を越えて前記集水槽に流入した被処理水を、前記沈殿槽以外の処理槽に流入させるように構成してある浄化槽であって、
前記集水槽に流入した被処理水を前記沈殿槽における水面よりも高い位置に揚水可能な揚水装置と、その揚水装置で揚水した被処理水を前記処理槽に流入させる流路と、
前記集水槽を水平方向に沿う軸芯周りで揺動自在に支持可能な集水槽支持部と、前記集水槽の揺動姿勢を前記集水槽支持部から離れた位置において固定可能な姿勢固定部とを設けてある浄化槽。
【請求項２】
前記揚水装置は、下端部に備えた吸水口を前記集水槽に入り込ませてあるエアーリフトポンプであり、
前記集水槽支持部は前記集水槽の下端部に設けてあり、
前記エアーリフトポンプの下端部を前記集水槽支持部近くに位置させてある請求項１記載の浄化槽。
【請求項３】
前記集水槽は、前記越流堰を備えた集水部と、その集水部の底部において被処理水を貯留可能な有底筒状の凹入部とを備え、その凹入部に前記エアーリフトポンプの下端部を入り込ませてある請求項２記載の浄化槽。
【請求項４】
前記集水槽の前記集水槽支持部近くに、その集水槽に入り込ませたエアーリフトポンプの下端部を位置決め可能な位置決め部を設けてある請求項２又は３記載の浄化槽。
【発明の詳細な説明】
【技術分野】
【０００１】
本発明は、沈殿槽の内側に越流堰を有した集水槽を備え、前記沈殿槽の被処理水が越流堰を越えて前記集水槽に流入した被処理水を、前記沈殿槽以外の処理槽に流入させるように構成してある浄化槽に関する。
【背景技術】
【０００２】
従来の浄化槽では、集水槽に流入した被処理水を、沈殿槽以外の処理槽、例えば、沈殿槽に対して隔壁を隔てて隣り合う消毒槽に流入させるために、消毒槽における被処理水の水面が沈殿槽における被処理水の水面よりも低くなるように消毒槽を配設し、集水槽に備えた樋部材の端部を隔壁に対して消毒槽における被処理水の水面よりも高い位置において固定して、集水槽の被処理水を樋部材の端部から消毒槽に自然流下させるように構成してある。
そして、浄化槽の据え付け姿勢が所定姿勢に対して傾いていても、被処理水が越流堰をその略全幅に亘る範囲から越えて集水槽に流入するように、浄化槽の据え付け時に集水槽の水平姿勢を調整できるように、沈殿槽と消毒槽とを隔てている隔壁に樋部材の下面側が入り込む凹部を形成し、その凹部を囲む隔壁周縁部分に湾曲長孔を形成すると共に、樋部材の端部外周に沿って形成してある固定用鍔部材にボルト挿通孔を形成して、水平姿勢を調整した後の集水槽を、隔壁周縁部分に形成した湾曲長孔と固定用鍔部材に形成したボルト挿通孔とに亘って挿通したボルトで隔壁に固定してある（例えば、特許文献１参照。）。
この場合、凹部を囲む消毒槽の隔壁開口部や、その周縁部分のボルト固定部は沈殿槽の水位以下となるため、沈殿槽の被処理水が、消毒槽の被処理水との水頭差で、隔壁開口部やボルト固定部の隙間を通して、被処理水の水面が沈殿槽における水面よりも低い消毒槽に漏れ出して、沈殿槽における被処理水の水位を適正な水位に維持できなくなるおそれがあり、隔壁周縁部分と固定用鍔部材との間にパッキンなどのシール材を挟み込んである。
【０００３】
【特許文献１】実用新案登録第２５５１００３号公報
【発明の開示】
【発明が解決しようとする課題】
【０００４】
しかしながら、長期使用のうちにシール材が劣化すると、被処理水が沈殿槽から消毒槽に漏れ出すおそれがあり、この場合は、沈殿槽における被処理水の水位を適正な水位に維持できなくなるので、シール材の交換などのメンテナンスに手間が掛かる欠点がある。
本発明は上記実情に鑑みてなされたものであって、メンテナンスの手間を特に掛けることなく、沈殿槽における被処理水の水位を長期に亘って適正な水位に維持できるようにすることを目的とする。
【課題を解決するための手段】
【０００５】
本発明の第１特徴構成は、沈殿槽の内側に越流堰を有した集水槽を備え、前記沈殿槽の被処理水が越流堰を越えて前記集水槽に流入した被処理水を、前記沈殿槽以外の処理槽に流入させるように構成してある浄化槽であって、
前記集水槽に流入した被処理水を前記沈殿槽における水面よりも高い位置に揚水可能な揚水装置と、その揚水装置で揚水した被処理水を前記処理槽に流入させる流路と、前記集水槽を水平方向に沿う軸芯周りで揺動自在に支持可能な集水槽支持部と、前記集水槽の揺動姿勢を前記集水槽支持部から離れた位置において固定可能な姿勢固定部とを設けてある点にある。
【０００６】
〔作用及び効果〕
集水槽に流入した被処理水を沈殿槽における水面よりも高い位置に揚水可能な揚水装置と、その揚水装置で揚水した被処理水を処理槽に流入させる流路とを設けてあるので、
集水槽に流入した被処理水を流入させる処理槽に、沈殿槽の被処理水の水面よりも低い位置に開口する開口部を設ける必要がなく、沈殿槽の被処理水が集水槽の越流堰を介さずに沈殿槽外の処理槽に流出するおそれがなくなるので、沈殿槽における被処理水の水位を長期に亘って適正な水位に維持できる。
【０００７】
また、集水槽を水平方向に沿う軸芯周りで揺動自在に支持可能な集水槽支持部と、その集水槽の揺動姿勢を固定可能な姿勢固定部とを設けてあるので、浄化槽の据え付け姿勢が所定姿勢に対して傾いていても、被処理水が越流堰をその略全幅に亘る範囲から越えて集水槽に流入するように、集水槽の揺動姿勢を水平調整することが容易になるとともに、集水槽の固定作業も容易になる。
【０００８】
【０００９】
さらに、姿勢固定部を、集水槽の揺動姿勢を集水槽支持部から離れた位置において固定可能に設けてあるので、姿勢固定部は少なくとも１ヵ所にあればよく、集水槽の固定作業も容易に行うことができる。
【００１０】
本発明の第２特徴構成は、前記揚水装置は、下端部に備えた吸水口を前記集水槽に入り込ませてあるエアーリフトポンプであり、前記集水槽支持部は前記集水槽の下端部に設けてあり、前記エアーリフトポンプの下端部を前記集水槽支持部近くに位置させてある点にある。
【００１１】
〔作用及び効果〕
揚水装置としての下端部に備えた吸水口を集水槽に入り込ませてあるエアーリフトポンプを、その下端部を、集水槽の下端部に設けてある集水槽支持部近くに位置させてあるので、揚水能力が向上するようにエアーリフトポンプの集水槽への入り込み深さを深くすることができる。
また、エアーリフトポンプを集水槽以外の浄化槽部分に固定してある場合に、集水槽の揺動姿勢を調整するべく、その集水槽を揺動させても、エアーリフトポンプと集水槽とが互いに干渉するおそれが少なく、集水槽の揺動姿勢の調整範囲を広く設定することができる。
【００１２】
本発明の第３特徴構成は、前記集水槽は、前記越流堰を備えた集水部と、その集水部の底部において被処理水を貯留可能な有底筒状の凹入部とを備え、その凹入部に前記エアーリフトポンプの下端部を入り込ませてある点にある。
【００１３】
〔作用及び効果〕
集水槽は、越流堰を備えた集水部と、その集水部の底部において被処理水を貯留可能な有底筒状の凹入部とを備え、その凹入部にエアーリフトポンプの下端部を入り込ませてあるので、被処理水が越流堰を越えて集水部に流入する流入幅を広く確保できるように集水部の大型化を図りながら、凹入部の容積を小さくして、集水槽を内側に備えている沈殿槽の容量を大きく確保することができる。
【００１４】
本発明の第４特徴構成は、前記集水槽の前記集水槽支持部近くに、その集水槽に入り込ませたエアーリフトポンプの下端部を位置決め可能な位置決め部を設けてある点にある。
【００１５】
〔作用及び効果〕
エアーリフトポンプの下端部を集水槽支持部近くにおいて位置決めできるので、集水槽の揺動姿勢の調整範囲を広く設定することができるようにしながら、エアーリフトポンプの姿勢を安定させることができる。
【発明を実施するための最良の形態】
【００１６】
以下に本発明の実施の形態を図面に基づいて説明する。
図１，図２は、生活排水（汚水）を被処理水として浄化処理する本発明による浄化槽１を示す。
尚、図１中の実線の矢印は、被処理水の移流方向を示しており、破線の矢印は、槽底部に溜まった固形分（汚泥等）の返送方向を示している。
図２は、図１におけるII−II線矢視図である。
【００１７】
図１に示すように、浄化槽１は、マンホールＭなどを備えた槽外壁２の内部を、第１仕切り壁３と第２仕切り壁４とで仕切って、被処理水を嫌気処理する嫌気槽Ａと、嫌気槽Ａで嫌気処理した被処理水を好気処理する好気槽Ｂと、好気槽Ｂで好気処理した被処理水を沈殿処理する沈殿槽Ｃとに区画し、沈殿槽Ｃ以外の処理槽としての、沈殿槽Ｃに対して隔壁６１を隔てて隣り合う消毒槽Ｄを沈殿槽Ｃの内側に設けてある。
【００１８】
前記嫌気槽Ａは、被処理水が流入管７を通して外部から流入する固液分離槽Ａ１と、固液分離槽Ａ１で固液分離された被処理水を嫌気処理する嫌気処理槽Ａ２とに第３仕切り壁５で区画して、固液分離槽Ａ１で固液分離された被処理水を第３仕切り壁５に設けてある移流部９から嫌気処理槽Ａ２に流入させるように構成してある。
【００１９】
前記固液分離槽Ａ１には、水平方向の断面形状が略コの字状のバッフルプレート１０を、その上端部分で流入管７の出口側を取り囲む状態で槽外壁２に固定して、流入管７を通して固液分離槽Ａ１に流入する被処理水の流動方向を下向きに規制してある。
【００２０】
前記嫌気処理槽Ａ２で嫌気処理した被処理水を第１仕切り壁３に設けてあるオーバーフロー口８から好気槽Ｂにオーバーフローで流入させ、好気槽Ｂで好気処理した被処理水を沈殿槽Ｃに移流させ、固形分を沈殿させた上澄の被処理水を沈殿槽Ｃの内側に備えた集水槽Ｅに流入させて、その集水槽Ｅに流入した被処理水を消毒槽Ｄに流入させ、薬剤筒１１から添加された薬剤で消毒された被処理水を排出管６から外部に排出させるように構成してある。
また、沈殿槽Ｃの底部に沈殿した汚泥を第１エアーリフトポンプ５８で被処理水と共に固液分離槽Ａ１に返送する汚泥返送路５９を設けてある。
【００２１】
前記集水槽Ｅは、図３〜図６に示すように、側面視で三角波形の越流堰１２を形成してある集水壁１３で囲まれた横長の集水部１４と、その集水部１４の内側底部に連通する縦長の有底筒状の凹入部１５とを一体に備え、集水部１４の幅方向中央位置に凹入部１５を配置して正面視で略左右対称のＴ字状に形成し、沈殿槽Ｃの被処理水が越流堰１２を越えて集水部１４に流入した後、凹入部１５に流入して貯留されるように構成してある。
【００２２】
前記凹入部１５は、水平方向の断面形状が略矩形の外周壁１６と底壁１７とで囲まれた有底筒状に形成してあり、底壁１７側ほど径が徐々に小さくなる先窄まり状に形成して、集水部１４よりも第２仕切り壁４側に突出させてある。
【００２３】
そして、集水槽Ｅに流入した被処理水を沈殿槽Ｃにおける水面ＷＬ（越流堰下端の高さ）よりも高い位置に揚水可能な揚水装置としての第２エアーリフトポンプ１８と、揚水した被処理水を消毒槽Ｄに流入させる流路１９とを設けてある。
【００２４】
前記集水槽Ｅを水平方向に沿う軸芯Ｙ周りで揺動自在に支持可能な集水槽支持部３９を集水槽Ｅの下端部に設け、集水槽Ｅの揺動姿勢を集水槽支持部３９から離れた位置において調整可能、かつ、固定可能な姿勢固定部４０を設けてある。
【００２５】
前記集水槽支持部３９は、図８（ｂ）にも示すように、凹入部１５を形成する底壁１７の下端側に、貫通孔４１を形成してあるリブを一体に設けると共に、その貫通孔４１に入り込む支軸部材４２を第２仕切り壁４に設けて構成してある。
【００２６】
前記姿勢固定部４０は、図８（ａ）にも示すように、凹入部１５を形成する外周壁１６のうちの第２仕切り壁４側の壁部分を越流堰１２よりも上方に延設して、その壁部分に上下の板面が揺動軸芯Ｙを中心とする円弧状に略沿う固定用板材４３を一体に設けるとともに、集水槽Ｅの揺動方向に沿って長い長孔４４をその固定用板材４３に形成し、長孔４４に挿通させるボルト４５を第２仕切り壁４に固定して構成してある。
【００２７】
そして、越流堰１２が略水平方向に沿うように集水槽Ｅを揺動軸芯Ｙ周りで揺動させた姿勢で、ボルト４５に螺着した蝶ナット６０で締め付け固定して、浄化槽１の据え付け姿勢が多少傾いていても、被処理水を越流堰１２の略全幅に亘る範囲から集水槽Ｅに流入させることができるように構成してある。
【００２８】
前記消毒槽Ｄは、図３〜図５，図９に示すように、水平方向の断面形状が略矩形の上向きに開口する箱状に形成してある隔壁６１で沈殿槽Ｃに対して区画して、薬剤筒１１を装着する薬剤筒受け４８を設けてあり、集水槽Ｅを囲むバッフルプレート４９を左右両側に設けて、そのバッフルプレート４９を介して、第２仕切り壁４に固定すると共に、排出管６を介して槽外壁２に固定して、集水槽Ｅの前面側に隣り合わせて沈殿槽Ｃの内側に装着してある。
【００２９】
また、集水部１４の消毒槽Ｄ側を囲む集水壁部分５０に、被処理水の異状流入時のオーバーフロー口となる略Ｕ字状の切欠き部５１を形成し、消毒槽Ｄの集水槽Ｅ側を囲む槽壁部分５２にも略Ｕ字状の切欠き部５３を形成すると共に、その切欠き部５３の縁に沿って槽壁外面側に折り返してある折り返し部５４を形成し、折り返し部５４と槽壁部分５２との間に集水壁部分５０における切欠き部５２の縁を係合させて、消毒槽Ｄと集水槽Ｅとを一体に組み付けてある。
【００３０】
前記薬剤筒受け４８は、集水壁部分５０における切欠き部５１の縁に係合させた折り返し部５４の上に重ねて係止させる係止部５５と、流出ガイド部２３の端部を支持する支持部５６と、筒状のバッフルプレート５７とを備え、流出ガイド部２３を通して薬剤筒受け４８に流下した被処理水に薬剤を添加して、バッフルプレート５７を通して消毒槽Ｄの底部に向けて流下させた後、排出管６を通して外部に排出できるように構成してある。
【００３１】
前記第２エアーリフトポンプ１８は、図３〜図７，図１０〜図１２にも示すように、集水槽Ｅに備えた凹入部１５内に上下方向に沿わせて装着可能な円筒状の揚水管２０と、揚水管２０の下部にエアーを供給する円筒状の空気供給管２１とを設けてあると共に、揚水管２０の上端部に接続する揚水管接続部２２と、揚水管２０によって揚水された被処理水を横方向に流出させる上向きＵ字状の流出ガイド部２３とを一体に備えたヘッダー装置２４を設けてあり、揚水した被処理水を消毒槽Ｄに流入させる流路１９を流出ガイド部２３で形成してある。
【００３２】
そして、揚水管２０の下端部に備えた吸水口４６を集水槽Ｅに入り込ませてあり、第２エアーリフトポンプ１８の下端部、つまり、揚水管２０の下端部を、凹入部１５を形成する底壁１７近くに入り込ませて、集水槽支持部３９近くに位置させてある。
【００３３】
また、図６，図７に示すように、集水槽支持部３９近く、つまり、凹入部１５を形成する底壁１７近くにおける外周壁１６の内面に、凹入部１５に入り込ませた揚水管２０の下端部に外嵌して、その下端部を位置決め可能な位置決め部４７を設けてある。
【００３４】
前記揚水管接続部２２と流出ガイド部２３は樹脂で一体成型してあり、揚水管接続部２２は揚水管２０の上端部に外嵌する円筒状に形成してあり、流出ガイド部２３は、揚水管接続部２２の径と略同幅の半割筒状の底板部２５と、底板部２５の左右上端縁に沿って互いに平行に延設してある一対の側壁部２６とを備えた上向きＵ字状に形成してある。
【００３５】
前記側壁部２６の夫々を、揚水管２０の軸芯Ｘ方向視で、揚水管接続部２２の上縁近くに延設するとともに、揚水管接続部２２の直径方向に略沿わせて、かつ、揚水管２０の軸芯Ｘ方向に沿わせて形成してある端壁部２７の端部に連設して、揚水管接続部２２の上方部と流出ガイド部２３の上方部とを一連に開放する開口部２８を形成してあり、側壁部２６の端部をＬ字状に切欠いた形状に形成して、後述する横搬送ガイド部材２９を接続できるように構成してある。
【００３６】
前記端壁部２７を挟んで、流出ガイド部２３とは逆の部位には、揚水管接続部２２の上方を周方向に沿って略半割円弧状に囲む円弧状囲壁３０と、揚水管接続部２２の上方を覆うドーム状の覆い壁部３１とを一体に設けてあり、端壁部２７の下端部を円弧状囲壁３０と覆い壁部３１とに連設して、円弧状囲壁３０及び覆い壁部３１の内側を流出ガイド部２３の内側に臨ませてある。
【００３７】
前記揚水管接続部２２の上方を覆う略矩形の樹脂製蓋体３２が一方の側壁部２６ａに開閉自在に取り付けられ、蓋体３２の取付け部とは別の箇所、つまり、覆い壁部３１に、空気供給管２１を揚水管２０の内側にその軸芯が揚水管２０の軸芯Ｘに対して略平行に沿うように支持する円筒状の空気供給管支持部３３を設けてある。
【００３８】
前記空気供給管支持部３３は、空気供給管２１を筒状部の内側に挿通して支持できるように構成してあるが、図１４に示すように、覆い壁部３１の上方に突出する上向き筒状部３３ａと覆い壁部３１の下方に突出する下向き筒状部３３ｂとで構成し、空気供給管２１を、覆い壁部３１を挟んで上下に分断して、上側空気供給管部分２１ａの下端を上向き筒状部３３ａに外嵌し、下側空気供給管部分２１ｂの上端を下向き筒状部３３ｂに外嵌して、空気供給管２１を揚水管２０の内側にその軸芯が揚水管２０の軸芯Ｘに対して略平行に沿うように支持できるように構成してあっても良い。
【００３９】
前記蓋体３２には、左右の側壁部２６と端壁部２７の夫々の上端部を入り込ませる溝３４がその周縁に沿って形成されているとともに、可撓性を備えた取り付け用の帯板３５が一体に形成され、帯板３５の端部を一方の側壁部２６ａに着脱自在に取り付けて、蓋体３２が開閉自在に取り付けられ、溝３４に左右の側壁部２６と端壁部２７の夫々の上端部を入り込ませて、開口部２８を開閉自在に覆ってある。
【００４０】
また、第２エアーリフトポンプ１８から消毒槽Ｄまでの距離が長い場合は、図１３に示すように、流出ガイド部２３の端部に、その流出ガイド部２３から流出した被処理水を横方向に搬送可能な半割樋状の横搬送ガイド部材２９を接続してある被処理水搬送装置Ｆを構成して、揚水した被処理水を消毒槽Ｄに流入させる流路１９を延長できるように構成してある。
【００４１】
前記横搬送ガイド部材２９は、その全長に亘って、横断面形状がＵ字状の樋状部３７と、その樋状部３７の上縁側の夫々において樋内面側に向けて折り返してある形状の折り返し部３８とを設けてあり、流出ガイド部２３に対する接続部３６を構成している樋状部３７と折り返し部３８との間に流出ガイド部２３の端部を入り込ませて、流出ガイド部２３の外周面側を樋状部３７で覆う状態で、横搬送ガイド部材２９を流出ガイド部２３に接続可能に構成してある。
【００４２】
尚、横搬送ガイド部材２９の内底面には、水量の目安を目視で確認できる４本の筋状マーク６２をその全長に亘って形成して、搬送水量の上限と下限とを確認できるようにしてある。
【００４３】
〔その他の実施形態〕
１．本発明による浄化槽は、集水槽に流入した被処理水を流入させる、沈殿槽以外の処理槽が、計量槽や高度処理槽などであっても良い。
２．本発明による浄化槽は、集水槽に流入した被処理水を流入させる、沈殿槽に対して隔壁を隔てて隣り合う処理槽が、沈殿槽の外側に隣り合わせて設けられていても良い。
３．本発明による浄化槽は、揚水装置として被処理水を機械的に吸引するポンプを設けてあっても良い。
４．本発明による浄化槽は、揚水装置で揚水した被処理水を処理槽に流入させる流路を管の内側で形成してあっても良い。
５．本発明による浄化槽は、箱状あるいは図１５に示すように、底部を絞り込んだ形状に形成して、集水槽容量を大きくしてある集水槽Ｅを備えていても良い。
【図面の簡単な説明】
【００４４】
【図１】浄化槽の縦断面図
【図２】図１のII−II線矢視図
【図３】浄化槽の要部平面図
【図４】集水槽と消毒槽を示す縦断面図
【図５】集水槽と消毒槽を示す分解斜視図
【図６】集水槽の内部を示す正面図
【図７】要部の横断面図
【図８】要部の縦断面図
【図９】消毒槽の内部を示す正面図
【図１０】エアーリフトポンプの縦断面図
【図１１】エアーリフトポンプの一部断面正面図
【図１２】エアーリフトポンプの要部斜視図
【図１３】被処理水搬送装置の要部斜視図
【図１４】要部の別実施形態を示す縦断面図
【図１５】集水槽の別実施形態を示す斜視図
【符号の説明】
【００４５】
１２  越流堰
１４  集水部
１５  凹入部
１８  揚水装置（エアーリフトポンプ）
１９  流路
３９  集水槽支持部
４０  姿勢固定部
４６  吸水口
４７  位置決め部
６１  隔壁
Ｃ  沈殿槽
Ｄ  処理槽
Ｅ  集水槽
ＷＬ  水面
Ｙ  軸芯
【図１】
0005341377.tif 000002
【図２】
0005341377.tif 000003
【図３】
0005341377.tif 000004
【図４】
0005341377.tif 000005
【図５】
0005341377.tif 000006
【図６】
0005341377.tif 000007
【図７】
0005341377.tif 000008
【図８】
0005341377.tif 000009
【図９】
0005341377.tif 000010
【図１０】
0005341377.tif 000011
【図１１】
0005341377.tif 000012
【図１２】
0005341377.tif 000013
【図１３】
0005341377.tif 000014
【図１４】
0005341377.tif 000015
【図１５】
0005341377.tif 000016